(57)【特許請求の範囲】
【請求項１】
ユーザから受け付けた操作指示に従って撮影を行うことにより画像を取得する撮影手段と、
前記撮影手段で撮影されることにより取得した表示画面に表示済の撮影画像に続けて、前記撮影手段で行った撮影により新たに取得した撮影画像を、前記表示済の撮影画像と合わせて表示画面に表示する第１の表示方法、又は、前記撮影手段で撮影を行うごとに、当該撮影により取得した撮影画像を表示画面に表示する第２の表示方法で表示するプレビュー表示手段と、
連写を用いない連続的な撮影がされたかを判定すべく、前記撮影手段で行う第１の撮影と第２の撮影が一定時間内に行われたか否かを判定する判定手段と、
を備え、
前記プレビュー表示手段は、前記判定手段で、第１の撮影と第２の撮影が一定時間内に行われたと判定した場合、撮影画像の表示方法を前記第１の表示方法を用いて、前記撮影手段による撮影ごとに、前記第１の撮影にて撮影された前記表示画面に表示済の撮影画像と合わせて、前記第２の撮影において新たに取得した撮影画像を表示画面に表示し、前記判定手段で、前記第１の撮影と第２の撮影が一定時間内に行われていないと判定した場合に、撮影画像の表示方法を前記第２の表示方法を用いて、前記撮影手段で撮影を行うごとに、当該撮影により取得した撮影画像を表示画面に表示することを特徴とする撮像装置。
【請求項２】
前記プレビュー表示手段は、前記第１の表示方法を用いて、前記第２の撮影で新たに取得した撮影画像を、前記表示画面に表示済の撮影画像と合わせて表示する場合に、前記撮影手段による連続的な撮影中であることを示す情報を表示画面に表示することを特徴とする請求項１に記載の撮像装置。
【請求項３】
前記プレビュー表示手段で前記表示画面の領域を分割して、前記撮影手段で取得した画像をプレビュー表示する場合の、分割可能な領域の最大数を指定する分割領域数指定手段
を更に備え、
前記プレビュー表示手段は、前記連続的な撮影で取得した複数の画像が前記分割領域数指定手段で指定した領域数を超える場合に、前記連続的な撮影で取得した直近の撮影画像から順に優先して、前記分割領域数指定手段で指定した数だけ、前記表示画面にプレビュー表示させることを特徴とする請求項１又は２に記載の撮像装置。
【請求項４】
前記判定手段で前記撮影画像の撮影が連写を用いない連続的な撮影として判定された場合に、前記表示画面を複数の領域に分割して、前記一定時間が経過するまでに、前記分割した各領域への前記第１の撮影画像と前記第２の撮影画像の表示を開始する設定を受け付ける設定受付手段と、
前記撮影画像を表示画面に表示するための指示を受け付ける撮影画像表示指示受付手段と、
を備え、
前記プレビュー表示手段は、前記撮影画像表示指示受付手段で指示を受け付けた場合、前記設定受付手段で受け付けた設定とは異なる設定に応じて、前記撮影画像を表示画面に表示することを特徴とする請求項１乃至３のいずれか１項に記載の情報処理装置。
【請求項５】
撮影手段が、ユーザから受け付けた操作指示に従って撮影を行うことにより画像を取得する撮影工程と、
プレビュー表示手段が、前記撮影工程で撮影されることにより取得した表示画面に表示済の撮影画像に続けて、前記撮影工程で行った撮影により新たに取得した撮影画像を、前記表示済の撮影画像と合わせて表示画面に表示する第１の表示方法、又は、前記撮影工程で撮影を行うごとに、当該撮影により取得した撮影画像を表示画面に表示する第２の表示方法で表示するプレビュー表示工程と、
判定手段が、連写を用いない連続的な撮影がされたかを判定すべく、前記撮影工程で行う第１の撮影と第２の撮影が一定時間内に行われたか否かを判定する判定工程と、
を含み、
前記プレビュー表示工程は、前記判定工程で、第１の撮影と第２の撮影が一定時間内に行われたと判定した場合、撮影画像の表示方法を前記第１の表示方法を用いて、前記撮影工程による撮影ごとに、前記第１の撮影にて撮影された前記表示画面に表示済の撮影画像と合わせて、前記第２の撮影において新たに取得した撮影画像を表示画面に表示し、前記判定工程で、前記第１の撮影と第２の撮影が一定時間内に行われていないと判定した場合に、撮影画像の表示方法を前記第２の表示方法を用いて、前記撮影工程で撮影を行うごとに、当該撮影により取得した撮影画像を表示画面に表示することを特徴とする撮像装置の制御方法。
【請求項６】
撮像装置を、
ユーザから受け付けた操作指示に従って撮影を行うことにより画像を取得する撮影手段と、
前記撮影手段で撮影されることにより取得した表示画面に表示済の撮影画像に続けて、前記撮影手段で行った撮影により新たに取得した撮影画像を、前記表示済の撮影画像と合わせて表示画面に表示する第１の表示方法、又は、前記撮影手段で撮影を行うごとに、当該撮影により取得した撮影画像を表示画面に表示する第２の表示方法で表示するプレビュー表示手段と、
連写を用いない連続的な撮影がされたかを判定すべく、前記撮影手段で行う第１の撮影と第２の撮影が一定時間内に行われたか否かを判定する判定手段として機能させ、
前記プレビュー表示手段は、前記判定手段で、第１の撮影と第２の撮影が一定時間内に行われたと判定した場合、撮影画像の表示方法を前記第１の表示方法を用いて、前記撮影手段による撮影ごとに、前記第１の撮影にて撮影された前記表示画面に表示済の撮影画像と合わせて、前記第２の撮影において新たに取得した撮影画像を表示画面に表示し、前記判定手段で、前記第１の撮影と第２の撮影が一定時間内に行われていないと判定した場合に、撮影画像の表示方法を前記第２の表示方法を用いて、前記撮影手段で撮影を行うごとに、当該撮影により取得した撮影画像を表示画面に表示することを特徴とする撮像装置のプログラム。
【発明の詳細な説明】
【技術分野】
【０００１】
本発明は、撮像装置、その制御方法及びプログラムに関する。
【背景技術】
【０００２】
カメラで撮影した画像を、撮影後に一時的に表示画面に表示することで、撮影者にその内容を確認させるプレビュー表示機能を有するものがある。しかし、連写撮影モードで連写撮影を行った後に表示されるプレビュー画像は、最後に撮影した画像のもののみとなるため、全ての画像を確認したい場合は再生を行って画像の最後から確認する必要がある。
【先行技術文献】
【特許文献】
【０００３】
【特許文献１】特開平１１−８８７６１号公報
【発明の概要】
【発明が解決しようとする課題】
【０００４】
特許文献１に記載の技術においては、連写撮影を行った後のプレビュー表示画面において、画面を分割することで複数枚の画像をプレビュー表示し、画像の選択を受け付けて該画像保存する技術が公開されている。しかしながら、特許文献１に記載の技術においては、複数枚の画像がプレビュー表示されるのは撮影モードが連写撮影モードのときのみであり、カメラの連写機能を用いない通常の撮影モードで、シャッターボタンを複数回押下することにより連続的に撮影を行った場合には、プレビュー表示される画像は直近の撮影画像のみとなってしまう。
【０００５】
本発明は上記の課題を解決するためになされたものであり、連写を用いない連続的な撮影を行った場合に、表示画面に複数の画像をプレビュー表示することにより、撮影した画像をユーザに容易に確認させる撮像装置、その制御方法及びプログラムを提供することを目的とする。
【課題を解決するための手段】
【０００６】
本発明は、連写を用いない連続的な撮影中である場合に、撮影するごとに、新たに撮影した画像を、既に撮影済の画像と合わせて表示して、ユーザに容易に確認させる撮像装置、その制御方法及びプログラムを提供することを目的とする。
【発明の効果】
【０００７】
本発明の撮像装置は、ユーザから受け付けた操作指示に従って撮影を行うことにより画像を取得する撮影手段と、前記撮影手段で撮影されることにより取得した表示画面に表示済の撮影画像に続けて、前記撮影手段で行った撮影により新たに取得した撮影画像を、前記表示済の撮影画像と合わせて表示画面に表示する第１の表示方法、又は、前記撮影手段で撮影を行うごとに、当該撮影により取得した撮影画像を表示画面に表示する第２の表示方法で表示するプレビュー表示手段と、連写を用いない連続的な撮影がされたかを判定すべく、前記撮影手段で行う第１の撮影と第２の撮影が一定時間内に行われたか否かを判定する判定手段と、を備え、前記プレビュー表示手段は、前記判定手段で、第１の撮影と第２の撮影が一定時間内に行われたと判定した場合、撮影画像の表示方法を前記第１の表示方法を用いて、前記撮影手段による撮影ごとに、前記第１の撮影にて撮影された前記表示画面に表示済の撮影画像と合わせて、前記第２の撮影において新たに取得した撮影画像を表示画面に表示し、前記判定手段で、前記第１の撮影と第２の撮影が一定時間内に行われていないと判定した場合に、撮影画像の表示方法を前記第２の表示方法を用いて、前記撮影手段で撮影を行うごとに、当該撮影により取得した撮影画像を表示画面に表示することを特徴とする。
【図面の簡単な説明】
【０００８】
本発明によれば、連写を用いない連続的な撮影中である場合に、撮影するごとに、新たに撮影した画像を、既に撮影済の画像と合わせて表示して、ユーザに容易に確認させることが出来る。
【発明を実施するための形態】
【０００９】
以下、図面を参照して、本発明の実施形態を詳細に説明する。まず、図１を参照して、本発明を実施する撮像装置のハードウェア構成および撮影機能について説明する。図１は、本発明を実施する撮像装置のハードウェア構成および撮影機能の一例を示す図である。
【００１０】
図１は、本発明に係る撮影装置の概略構成を示すハードウェアブロック図である。図１で、撮影装置は、いわゆるデジタルカメラから成り、撮影用のレンズ１０１、撮像素子（以下、「ＣＣＤ」と称する）１０２、カメラ信号処理部（以下、「ＡＤＣ」と称する）１０３、画像処理部１０４、システムコントローラ１１０、バッファメモリ１１１、フラッシュＲＯＭ１１２、インターフェース回路（以下、「Ｉ／Ｆ回路」と称する）１１３、カードホルダ１１４、メモリカード１１５、ディスプレイドライバ１１６、および操作部１２０を備える。
【００１１】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子１０２は、レンズ１０１から入射した撮像光を結像し、電気信号（アナログ信号）に変換して出力するＣＣＤイメージセンサで構成される。
【００１２】
カメラ信号処理部（ＡＤＣ）１０３は、撮像素子１０２から受けた電気信号にデジタル変換やホワイトバランス調整などの信号処理を行なって、デジタル信号に変換する機能を有する。システムコントローラ１１０は、画像処理部１０４、バッファメモリ１１１、フラッシュＲＯＭ１１２、Ｉ／Ｆ回路１１３、ディスプレイドライバ１１６、サウンドドライバ１１８、ＬＥＤドライバ１２８、および操作部１２０に接続されている
【００１３】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００１４】
前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００１５】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００１６】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００１７】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００１８】
バッファメモリ１１１には、画像処理部１０４で画像処理が行われる際に、一時的に画像データが保存される。フラッシュＲＯＭ１１２には、撮影装置の各種設定情報や、後述するユーザ認証情報が保存される。Ｉ／Ｆ回路１１３は、システムコントローラ１１０から出力される画像データを、メモリカード１１５に記録可能なデータ形式に変換する。また、Ｉ／Ｆ回路１１３は、メモリカード１１５から読み出された画像データ等を、システムコントローラ１１０で処理可能なデータ形式に変換する。
【００１９】
カードホルダ１１４は、記録媒体であるメモリカード１１５を撮影装置に着脱可能にする機構を備えると共に、メモリカード１１５との間でデータ通信が可能な電気接点を備える。また、カードホルダ１１４は、撮影装置で利用される記録媒体の種類に応じた構造を有する。メモリカード１１５は、フラッシュメモリなどの半導体記憶素子を内蔵し、カードホルダ１１４に着脱可能なカード型の記録媒体である。メモリカード１１５には、撮影装置で撮影された画像データを記録することができる。
【００２０】
ディスプレイドライバ１１６は、システムコントローラ１１０から出力される画像データを液晶ディスプレイ１１７で表示可能な信号に変換する。具体的には、ディスプレイドライバ１１６は、システムコントローラ１１０から出力されるデジタルの画像データをアナログ画像信号に変換する処理を行い、次に画像サイズを液晶ディスプレイ１１７の表示可能エリアのサイズに適したサイズに変換する処理を行う。
【００２１】
サウンドドライバ１１８は、システムコントローラ１１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ＬＥＤドライバ１２８は、システムコントローラ１１０から出力される命令に従いランプ１２９の制御を行う。
【００２２】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をシステムコントローラ１１０に出力する。なお、操作部１２０には、図示の操作ボタン以外の操作ボタン類も含まれるが、それらの説明は省略する。
【００２３】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００２４】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードへの切替方法については、閲覧ボタン１２６の押下に限定されず、液晶ディスプレイ１１７上のタッチパネル（不図示）などによる移行方法であってもよい。
【００２５】
閲覧モードでは、システムコントローラ１１０が、Ｉ／Ｆ回路１１３を介して、カードホルダ１１４に装着されているメモリカード１１５から設定情報と画像データを読み出す。設定情報は、現在装着されているメモリカード１１５に記録されている画像の枚数および記録されている画像データの容量などである。読み出される画像データは、例えば、画像１枚分の画像データまたはサムネイルデータである。なお、メモリカード１１５から読み出される画像データは、上述したように所定の圧縮形式で圧縮されている。
【００２６】
メモリカード１１５から読み出された画像データは、Ｉ／Ｆ回路１１３およびシステムコントローラ１１０を介して、ディスプレイドライバ１１６へ入力される。ディスプレイドライバ１１６は、入力された画像データを液晶ディスプレイ１１７に表示させる。
【００２７】
カーソルキー１２４は、ユーザが撮影装置に対する所定の指示や機能選択を行うためのキーである。ユーザは、カーソルキー１２４により、撮影装置に対する各種設定情報やユーザ認証情報などの操作入力を行うことができる。また、カーソルキー１２４により、液晶ディスプレイ１１７にメニュー画面を表示させたり、撮影装置が有する所定の機能を選択することができる。さらに、カーソルキー１２４により、撮影装置で撮影された画像データを液晶ディスプレイ１１７上にプレビュー表示させることができる。プレビュー表示とは、撮像装置１００で撮影した画像を、その直後に液晶ディスプレイ１１７に表示させる機能である。
【００２８】
なお、プレビュー表示については、液晶ディスプレイ１１７上に撮影した画像を１枚のみ表示する構成に限定されず、サムネイル画像を含む複数の画像を表示するように構成してもよい。また、プレビュー表示の切り替えについては、カーソルキー１２４の押下に限らず、他のボタンの押下などの一般的な方法を利用して切り替えられる構成にしてもよい。また、プレビュー表示画面で、プレビュー表示画像の削除や編集などが行えるように構成してもよい。
【００２９】
レンズ制御部１２７は、レンズ１０１のレンズに対して、ズーム、フォーカス、絞り等の制御を行う。また、撮影装置は、被写体を撮像して画像データを得る撮影モードと当該撮影モードで得た画像データを表示する閲覧（再生）モードとを備える。
【００３０】
なお、音声についてはマイクやスピーカを用いることで、撮像装置と同様に記録、及び再生が可能である。また、映像（動画）記録時には、通常音声記録も同時に行われ、圧縮部１０８および伸長部１０９で、映像と音声が多重化される。
【００３１】
また、撮像装置１００における撮影動作について図１を用いて説明する。まず、ユーザが電源スイッチ１２１を操作し、撮像装置１００の電源をＯＮにする。すると、撮像装置１００に内蔵されているバッテリー（不図示）から各回路へ電源供給されて、撮像装置１００の起動処理（レンズバリアを開く動作制御およびマイクロコンピューターのリセット処理など）が行われる。撮像装置１００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００３２】
撮像装置１００が撮影モードに移行すると、光学画像がレンズ１０１を介して撮影装置内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００３３】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６で画像処理を行う際は、画像データを一時的にバッファメモリ１１１に保存し、随時バッファメモリ１１１に保存されている画像データを読み出しながら画像処理が行われる。
【００３４】
画像処理部１０４から出力される画像データ（非圧縮）はシステムコントローラ１１０に入力される。システムコントローラ１１０は、画像処理部１０４から出力される画像データを、ディスプレイドライバ１１６へ出力する。ディスプレイドライバ１１６は、入力される画像データ（デジタル信号）をアナログ画像信号に変換すると共に、アナログ画像信号に基づく画像のサイズを液晶ディスプレイ１１７で表示可能なサイズに調整する。
【００３５】
また、ディスプレイドライバ１１６は、液晶ディスプレイ１１７に画像を表示させるよう制御する。このとき、液晶ディスプレイ１１７に表示される画像は、ＣＣＤ１０２、ＡＤＣ１０３、および画像処理部１０４で、連続的に信号処理されて生成される画像（スルー画像）である。
【００３６】
液晶ディスプレイ１１７にスルー画像が表示されている状態で、ユーザが希望のタイミングで撮影ボタン１２３を操作すると、システムコントローラ１１０は画像処理部１０４に制御信号を出力する。画像処理部１０４に制御信号が入力されると、圧縮部１０８は、前処理部１０５およびＹＣ処理部１０６で画像処理された画像データをバッファメモリ１１１へ保存し、圧縮処理を行う。
【００３７】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ１１０およびディスプレイドライバ１１６を介して液晶ディスプレイ１１７に表示される。また、圧縮された画像データは、カードホルダ１１４を介してメモリカード１１５に記録される。
【００３８】
撮影ボタン１２３が操作される前にズームボタン１２５が操作されると、システムコントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリカード１１５へ記録される。以上が図１に示す、本発明を実施する撮像装置のハードウェア構成および撮影機能についての説明である。
【００３９】
次に図２を参照して、本発明の実施形態における撮像装置１００の機能構成の一例について説明する。図２は本発明の実施形態における撮像装置１００の機能構成の一例を示すブロック図である。
【００４０】
図２に示す通り、撮像装置１００は、追従プレビュー表示制御部２０１、撮影間隔記憶部２０２、連続・非連続撮影判定部２０３、プレビュー表示切替部２０４、表示画像数設定部２０５等を機能部として有している。
【００４１】
追従プレビュー表示制御部２０１は、撮像装置１００が連続撮影を行った場合に、撮像装置１００の表示画面に複数枚の撮影画像を、撮影に追従して表示する追従プレビュー表示の表示制御を行う。具体的には、図６を参照して後述する。
【００４２】
ここで図６を参照して、本発明の実施形態における追従プレビュー表示の表示方法について説明する。図６は、本発明の実施形態における追従プレビュー表示の表示方法を示す図である。
【００４３】
図６は、表示画面６１０、表示画面６２０、表示画面６３０の各表示画面から構成される。表示画面６１０は、追従プレビュー表示を行う設定がなされた状態で撮影した１枚目の画像である撮影画像６１２を表示した状態を示す画面である。
【００４４】
表示画面６１０中の、追従プレビュー表示処理中アイコン６１１は、撮像装置１００が追従プレビュー表示処理を行っていることを示すアイコンである。追従プレビュー表示処理を終了した場合、該アイコンは表示しない。
【００４５】
撮像装置１００は、追従プレビュー表示を行う設定がなされた状態で一定時間内に２枚目の画像を撮影すると、表示画面６１０の状態から表示画面６２０の状態に表示状態を変更する（前記プレビュー表示手段は、前記撮影手段で行った前記連続撮影で取得した複数の画像を、撮影に追従してプレビュー表示する）。
【００４６】
表示画面６２０は、追従プレビュー表示を行う設定がなされた状態で撮影した２枚目の画像である撮影画像６２２、及び１枚目の撮影画像である６２１（表示画面６１０中の撮影画像６１２にあたる）を表示した状態を示す画面である。
【００４７】
同じく、撮像装置１００は、追従プレビュー表示を行う設定がなされた状態で一定時間内に３枚目の画像を撮影すると、表示画面６２０の状態から表示画面６３０の状態に表示状態を変更する。
【００４８】
表示画面６３０は、追従プレビュー表示を行う設定がなされた状態で撮影した３枚目の画像である撮影画像６３３、及び１枚目の撮影画像である撮影画像６３１、２枚目の撮家画像である撮影画像６３２（表示画面６２０中の撮影画像６２１、６２２にあたる）を表示した状態を示す画面である。
【００４９】
図６に示すように、追従プレビュー表示とは、撮影画像を撮影に追従して、表示画面にプレビュー表示する表示方法である。以上が図６の、本発明の実施形態における追従プレビュー表示の表示方法についての説明である。
【００５０】
図２の説明に戻る。撮影間隔記憶部は、追従プレビュー表示を行う設定がなされている状態で複数回撮影を行う場合、該撮影間の撮影間隔をバッファメモリ１１１等の一時記憶領域に記憶する。連続・非連続撮影判定部２０３は、撮像装置１００が行った撮影が連続撮影か、連続撮影ではない通常の撮影かを判定する。具体的には、１度目の撮影を行ってから一定時間内に２度目の撮影を行った場合に、該撮影を連続撮影と判定する。詳細は図４を参照して後述する。
【００５１】
プレビュー表示切替部２０４は、前述の連続・非連続撮影判定部で、撮像装置１００が行った撮影が連続撮影であると判定した場合は追従プレビュー表示を表示方法として適用し、通常撮影であると判定した場合は表示画面に撮影画像を１枚表示する撮影時プレビュー表示を表示方法として適用する、撮影方法に合わせた表示方法の切り替えを行う。
【００５２】
尚、撮像装置１００の設定が追従プレビュー表示を行うよう設定されていても、画像の撮影直後に表示されるプレビュー表示ではなく、閲覧ボタン１２６の押下を受け付けることによって、撮影後に記録媒体に記憶した撮影画像をプレビュー表示する場合には、通常のプレビュー表示に表示方法を切り替えるものとする。
【００５３】
表示画像数設定部２０５は追従プレビュー表示において、１つの表示画面に表示する撮影画像の数である設定数を設定する設定部である。該設定数を超える数の画像が連続撮影として撮影された場合は、直近の撮影画像から順に優先して表示画面にプレビューを表示する。以上が図２に示す、本発明の実施形態における撮像装置１００の機能構成の一例についての説明である。
【００５４】
次に図３〜図４を参照して、本発明の実施形態における撮影画像のプレビュー表示処理の一例の詳細について説明する。まず図３を参照して、本発明の実施形態におけるプレビュー表示処理の流れの概要について説明する。図３は、本発明の実施形態におけるプレビュー表示処理の流れの概要を示すフローチャートである。
【００５５】
撮像装置１００はステップＳ３０１でユーザからの操作指示を受け付け、受け付けた指示が追従プレビュー設定であるか否かを判定する（ステップＳ３０２）。受け付けた指示が追従プレビュー設定でなかった場合、処理をステップＳ３０４に移行する。
【００５６】
受け付けた指示が追従プレビュー設定であった場合には、指示に従って追従プレビューの各項を設定する（ステップＳ３０３）。追従プレビュー設定では、追従プレビューを表示するか否か、追従プレビューを表示するための条件である撮影間隔、追従プレビュー表示時の撮影画像の１画面での最大表示枚数の設定等を設定するものである。追従プレビュー設定の詳細については図５を参照して後述する。
【００５７】
ここで図５を参照して、本発明の実施形態における表示画面に表示する追従プレビュー設定画面の構成の一例、及び設定内容について説明する。図５は、本発明の実施形態における表示画面に表示する追従プレビュー設定画面の構成の一例、及び設定内容を示す図である。
【００５８】
図５は、追従プレビュー設定項目指定画面５１０と、追従プレビュー表示設定画面５２０と、最大表示数設定画面５３０と、撮影間隔設定画面５４０とから構成される。以下、図５に示すそれぞれの画面の構成、設定内容について説明する。
【００５９】
図５に示すと通り、追従プレビュー設定項目指定画面５１０は、追従プレビュー表示設定項５１１、撮影間隔設定項５１２、最大表示数設定項５１３と、選択カーソル５１４等から構成される。各項はカーソルキー１２４の押下により特定され、撮像装置１００は決定ボタンの押下を受け付けることにより、各項に対応する画面へ表示画面を移行する。選択カーソル５１４は、カーソルキー１２４で受け付けた操作と連動し、ユーザに選択中の項を視覚的に認識させるために表示画面に表示される。
【００６０】
追従プレビュー表示設定項５１１は、撮像装置１００が連続撮影を行った場合に、表示画面に追従プレビュー表示をするか否かの設定を受け付ける、追従プレビュー表示設定項５１１へ表示画面を移行させるための項である。
【００６１】
撮影間隔設定項５１２は、撮像装置１００の行う撮影が連続撮影か否かを判断する基準となる、撮影間隔の時間設定を受け付けるための画面である撮影間隔設定画面５４０に表示画面を移行させるための項である。詳細は撮影間隔設定画面５４０の説明で後述する。
【００６２】
最大表示数設定項５１３は、表示画面に追従プレビュー表示する撮影画像の最大数を設定する画面である、最大表示数設定画面５３０へ表示画面を移行するための項である。
【００６３】
追従プレビュー表示設定画面５２０は、追従プレビュー表示設定受付部５２１等から構成されている。追従プレビュー表示設定受付部５２１は、撮像装置１００が撮影を行った際に、撮影画像の追従プレビュー表示を行うか否かの操作指示を受け付ける設定受付部である。
【００６４】
なお、本実施形態においては、追従プレビュー表示設定画面５２０から追従プレビュー表示を行うか否かの操作指示を受け付ける構成を取っているが、追従プレビュー表示を行うか否かの設定を受け付ける構成は必ずしもこれに限るものではない。
【００６５】
例えば、モードダイヤル１２２等の操作部１２０に追従プレビュー表示モード等の操作部を設けることで、追従プレビュー表示を行うか否かの操作指示を受け付ける構成を取っても良い。
【００６６】
撮影間隔設定画面５４０は、撮像装置１００の行う撮影が連続撮影か否かを判断する基準となる、撮影の時間間隔を設定する画面である。撮影間隔設定画面５４０は、追従撮影間隔設定部５４１等から構成されている。
【００６７】
追従撮影間隔設定部５４１は、撮像装置１００の行う撮影が連続撮影か否かを判断する基準となる、撮影の時間間隔を設定する設定部である。具体的には、撮像装置１００は、撮影を行ってから、追従撮影間隔設定部５４１に設定された時間内に次の撮影を行った場合は、該撮影を連続撮影であると判断し、表示画面に撮影画像の追従プレビューを表示する。
【００６８】
具体的な設定方法としては、追従撮影間隔設定部５４１に選択カーソル５１４が合った状態で、カーソルキー１２４の押下を受け付けることにより、予め設定された撮影間隔の選択を受け付ける。尚、撮影間隔は必ずしも限られた時間に設定するものではなく、撮影間隔を無制限に設定することが可能である。
【００６９】
最大表示数設定画面５３０は、最大表示数設定操作受付部５３１等から構成されている。最大表示数設定操作受付部５３１は、カーソルキー１２４等の押下を受け付けることにより表示画面１画面での撮影画像の最大表示枚数の設定を受け付ける。（つまり、プレビュー表示手段で前記表示画面の領域を分割して、前記撮影手段で取得した画像をプレビュー表示する場合の、分割可能な領域の最大数を指定する分割領域数指定手段）。
以上が図５に示す、本発明の実施形態における表示画面に表示する追従プレビュー設定画面の構成の一例、及び設定内容についての説明である。
【００７０】
尚、図５に示す各画面で設定する設定値は、図８に示す、追従プレビュー設定データテーブル８００に設定され、記憶装置であるフラッシュＲＯＭ１１２等に記憶される。
【００７１】
ここで図８を参照して、追従プレビュー表示の設定を記憶したデータテーブルの構成の一例について説明する。図８は、追従プレビュー表示の設定を記憶したデータテーブルの構成の一例を示す図である。
【００７２】
図８に示す通り、追従プレビュー設定データテーブル８００は、追従プレビュー設定８０１、撮影間隔８０２、最大表示数８０３等から構成されている。追従プレビュー設定８０１には、図５の追従プレビュー表示設定受付部５２１で受け付けた指示に従って、画像撮影後の追従プレビュー表示を行うか否かの情報を設定する。ここでは、追従プレビュー表示を行う場合は１の値を、行わない場合は２の値を設定するものとする。
【００７３】
撮影間隔８０２には、図５の追従撮影間隔設定部５４１で受け付けた指示に基づいた、追従プレビュー設定８０１に１の値が設定されている場合に、追従プレビュー表示を行うための条件である撮影間隔である時間間隔の値が設定される。ここでは、追従プレビュー設定８０１の項に１〜１０の値を、単位を秒として設定し、１１を設定した場合は時間の制限を設けない（撮影間隔時間無制限）とする。
【００７４】
次に、最大表示数８０３について説明する。最大表示数８０３には、撮像装置１００が追従プレビュー表示を行う際に、１つの表示画面に表示する撮影画像の最大数を示す数値が設定される。具体的には図５の最大表示数設定操作受付部５３１で受け付けた操作指示に従った数値が設定される。
【００７５】
図８の追従プレビュー設定データテーブル８００に設定された各設定値を基に説明すると、追従プレビュー設定８０１に１が設定されている場合、撮影を行ってから次の撮影を行うまでの撮影間隔が３秒以内であれば、表示画面に撮影画像を最大９枚まで追従プレビュー表示する、というものである。以上が図８の、追従プレビュー表示の設定を記憶したデータテーブルの構成の一例についての説明である。
【００７６】
図３の説明に戻る。撮像装置１００はステップＳ３０４において、受け付けた操作指示が撮影か否かを判定する。受け付けた操作指示が撮影でなかった場合（ステップＳ３０４でＮＯ）、撮像装置１００は、受け付けた操作指示が、記録媒体であるメモリカード１１５等に記憶された撮影画像のプレビュー表示か否かを判定する（ステップＳ３０５）。
【００７７】
受け付けた操作指示がプレビュー表示でなかった場合（ステップＳ３０５でＮＯ）は処理を終了し、受け付けた操作指示がプレビュー表示であった場合は、撮影画像を通常のプレビュー表示で表示する（ステップＳ３０６）。
【００７８】
一方、ステップＳ３０４で、受け付けた操作指示が撮影指示であると判定した場合、撮像装置１００は、追従プレビュー設定で設定された設定に従って撮影を行う（ステップＳ３０７）。
【００７９】
撮像装置１００は、撮影を行うことにより取得した撮影画像をプレビュー表示するにあたり、プレビュー表示の設定が追従プレビュー表示に設定されているか否かを判定する（ステップＳ３０８）。プレビュー表示の設定が追従プレビュー表示に設定されていないと判定した場合、撮像装置１００は処理をステップＳ３０６に移行し、該撮影画像を、１枚の撮影画像を一定時間プレビュー表示する撮影時プレビュー表示で表示する。
【００８０】
追従プレビュー表示に設定されていると判定した場合、撮影画像を追従プレビュー表示で表示画面に表示する（ステップＳ３０９）。追従プレビュー表示の表示処理の詳細については、図４を参照して後述する。
【００８１】
ここで、図４を参照して、本発明の実施形態における追従プレビュー表示の表示処理の詳細について説明する。図４は、本発明の実施形態における追従プレビュー表示の表示処理の詳細を示すフローチャートである。
【００８２】
撮像装置１００は、撮影画像を撮影時プレビュー表示で表示し（ステップＳ４０１）、追加撮影を行ったか否かを判定する（ステップＳ４０２）。追加撮影を行っていないと判定した場合、撮像装置１００は、処理をステップＳ４０９に移行する。
【００８３】
一方、追加撮影を行ったと判定した場合（ステップＳ４０２でＹＥＳ）、撮像装置１００は、図８の撮影間隔８０２に設定された値が撮影間隔時間無制限を示しているか否かを判定する（ステップＳ４０３）。設定値が撮影間隔時間無制限を示している場合は、撮像装置１００は処理をステップＳ４０５に移行し、設定値が撮影間隔時間無制限を示している場合は、該使撮影が、図３のステップＳ３０７で行った撮影から、図８の撮影間隔８０２に設定された時間内に行われたか否かを判定する（ステップＳ４０４）。
【００８４】
該追加撮影が撮影間隔８０２に設定された時間内に行われていないと判定した場合は、追従プレビュー表示の処理を終了する。追加撮影が時間内に行われたと判定した場合は、処理をステップＳ４０５に移行する。
【００８５】
ステップＳ４０５で、撮像装置１００は、追加撮影を行った画像を追従プレビュー表示するにあたり、追従プレビュー表示の対象となる撮影画像の数が、図８の最大表示数８０３の値を超過しているか否かを判定する。
【００８６】
撮影画像の数が最大表示数８０３の値を超過していない場合は、該追加撮影の撮影画像を表示画面に追従プレビュー表示する（ステップＳ４０６）。超過している場合は、直近の撮影画像から順に優先して追従プレビュー表示する（ステップＳ４０７）。
【００８７】
追従プレビュー表示を行う設定がなされた場合に撮影した画像の数が、最大表示数８０３の値を超過した場合の撮影画像の表示状態（ステップＳ４０７における表示画面の表示状態）については図７を参照して後述する。
【００８８】
ここで図７を参照して、本発明の実施形態における１画面の撮影画像の最大表示数を超過した場合の追従プレビュー表示処理について説明する。図７は、本発明の実施形態における１画面の撮影画像の最大表示数を超過した場合の追従プレビュー表示処理の詳細を示す図である。
【００８９】
図７は、表示画面７００と、第１撮影画像７０１と、直近撮影画像７０２等から構成されている。なお、図７は、最大表示数８０３に設定された値が９であって、追従プレビュー表示を行う設定で撮影した画像が１０枚目に達した場合の、撮像装置表示１００の表示画面の状態を示している。
【００９０】
第１撮影画像７０１は追従プレビュー表示を行う設定で撮影した１枚目の撮影画像である。直近撮影画像７０２は、追従プレビュー表示を行う設定で撮影した１０枚目の撮影画像である。
【００９１】
表示画面７００に示すように、追従プレビュー表示を行う場合に、撮影した直近の撮影画像である直近撮影画像７０２は、表示画面７００に９枚まで表示される画像の最後尾である９枚目の画像の位置に表示さる。直近撮影画像７０２が表示画面７００に表示される前に、表示画面に表示される９枚の画像の内、１枚目の画像の位置に表示されていた第１撮影画像７０１は、直近撮影画像７０２が撮影されることにより、表示画面７００から消去される。（つまり、プレビュー表示手段は、前記連続撮影で取得した複数の画像が前記分割領域数指定手段で指定した領域数を超える場合に、前記連続撮影で取得した直近の撮影画像から順に優先して、前記分割領域数指定手段で指定した数だけ、前記表示画面にプレビュー表示する）。以上が図７の、本発明の実施形態における１画面の撮影画像の最大表示数を超過した場合の追従プレビュー表示処理についての説明である。
【００９２】
次に、撮像装置１００は、追従プレビュー表示の終了指示を受け付けたか否かを判定する（ステップＳ４０８）。ここでいう終了指示とは、図５の追従プレビュー表示設定受付部５２１で追従プレビュー表示をしない操作指示を受け付けること等である。終了指示を受け付けたと判定した場合、追従プレビュー表示の処理を終了する。終了指示を受け付けいないと判定した場合、撮像装置１００は、処理をステップＳ４０９に移行し、撮影間隔８０２に設定された時間が経過したか否かを判定する。
【００９３】
撮影間隔８０２に設定された時間が経過したと判定した場合、追従プレビュー表示の処理を終了する。時間が超過していないと判定した場合は、撮像装置１００は処理をステップＳ４０２に移行する。以上が図４の、本発明の実施形態における追従プレビュー表示の表示処理の詳細についての説明である。
【００９４】
以上のように、上記実施形態によれば、連写を用いない連続的な撮影を行った場合に、表示画面に複数の画像をプレビュー表示することにより、撮影した画像をユーザに容易に確認させる撮像装置、その制御方法及びプログラムを提供することができる。
具体的には、本発明の撮像装置は、撮影した画像のプレビューを表示する表示手段を備える撮像装置であって、ユーザから受け付けた操作指示に従って撮影を行うことにより画像を取得する撮影手段と（ステップＳ３０７）、前記撮影手段で行った撮影により取得した画像である撮影画像を表示するための表示画面に、前記撮影画像をプレビュー表示するプレビュー表示手段と（ステップＳ３０６、ステップＳ３０９）、前記撮影手段で行う第１の撮影（ステップＳ３０７）と第２の撮影が（ステップＳ４０２）、連続撮影として一定時間内に行われたか否かを判定する判定手段と（ステップＳ４０４）を備え、前記プレビュー表示手段は、前記判定手段で、前記撮影手段で行う前記第１の撮影と第２の撮影が一定時間内に行われたと判定した場合（ステップＳ３０４でＹＥＳ）、前記表示画面を複数の領域に分割して、分割した各領域に前記第１の撮影で取得した画像である第１の撮影画像と前記第２の撮影で取得した画像である第２の撮影画像をそれぞれ表示させ（ステップＳ３０６、ステップＳ３０７）、更に、前記判定手段で、前記撮影手段で行う前記第１の撮影と第２の撮影が一定時間内行われなかったと判定した場合（ステップＳ３０４でＮＯ）、前記第１の撮影画像と前記第２の撮影画像を、それぞれの撮影後に、１枚毎に、一定時間ずつ前記表示画面にプレビュー表示させる（ステップＳ４０１）ことを特徴とする。
【００９５】
以上、上記実施形態について詳述したが、本発明は、例えば、システム、装置、方法、プログラムとしての実施態様をとることが可能である。具体的には、複数の機器から構成されるシステムに適用しても良いし、また、一つの機器からなる装置に適用しても良い。
【００９６】
以上説明したように、本発明におけるプログラムは、図３〜図４に示すフローチャートの処理に従って撮像装置としてコンピュータが実行可能なプログラムであり、本発明の記録媒体は図３〜図４の処理方法を撮像装置が実行可能なプログラムを記憶されている。なお、本発明におけるプログラムは図３〜図４の各装置の処理方法ごと、別の独立したプログラムであってもよい。
【００９７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。この場合、記録媒体から読み出されたプログラム自体が本発明の新規な機能を実現することになり、そのプログラムを記憶した記録媒体は本発明を構成することになる。
【００９８】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９９】
また、撮像装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１００】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０１】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０２】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【０１０３】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【０１０４】
１０１  光学系（レンズ）
１０２  撮像素子（ＣＣＤ）
１０３  カメラ信号処理部
１１０  システムコントローラ
１１７  ディスプレイ
１２０  操作部
２０１  追従プレビュー表示制御部
２０２  撮影間隔記憶部
２０３  連続・非連撮影続判定部
２０４  プレビュー表示切替部
２０５  表示画像数設定部
【図１】
0005294091.tif 000002
【図２】
0005294091.tif 000003
【図３】
0005294091.tif 000004
【図４】
0005294091.tif 000005
【図５】
0005294091.tif 000006
【図６】
0005294091.tif 000007
【図７】
0005294091.tif 000008
【図８】
0005294091.tif 000009